(57)【要約】【課題】  本発明は、走査面に対する探触子の角度が所定の角度と異なってしまった場合でも、取得される被検体情報の画質の低下を簡便に抑制できる被検体情報取得装置を提供することを目的とする。【解決手段】  本明細書に開示された被検体情報取得装置は、被検体内で発生した音響波を受信して複数の時系列の電気信号を出力する複数の音響波受信部と、複数の音響波受信部を走査面に沿って走査する走査部と、走査面と複数の音響波受信部の受信面とのなす角度を取得し、角度と複数の時系列の電気信号とに基づいて被検体情報を取得する信号処理部とを有する。【選択図】  図４
2015006288.tif 000002
【特許請求の範囲】
【請求項１】
被検体内で発生した音響波を受信して複数の時系列の電気信号を出力する複数の音響波受信部と、
前記複数の音響波受信部を走査面に沿って走査する走査部と、
前記走査面と前記複数の音響波受信部の受信面とのなす角度を取得し、
前記角度と前記複数の時系列の電気信号に基づいて前記被検体内部の被検体情報を取得する信号処理部とを有することを特徴とする被検体情報取得装置。
【請求項２】
前記信号処理部は、
前記角度に基づいて前記被検体内の関心領域で発生した音響波が前記複数の音響波受信部のそれぞれに到来する時刻を取得し、
前記被検体内の関心領域で発生した音響波が前記複数の音響波受信部のそれぞれに到来する時刻と、前記複数の時系列の電気信号とに基づいて前記被検体情報を取得することを特徴とする請求項１に記載の被検体情報取得装置。
【請求項３】
前記信号処理部は、
前記被検体内の関心領域で発生した音響波が前記複数の音響波受信部のそれぞれに到来する時刻に対応する、前記複数の時系列の電気信号の振幅値を加算することにより、前記関心領域における前記被検体情報を取得することを特徴とする請求項２に記載の被検体情報取得装置。
【請求項４】
前記信号処理部は、
前記角度に基づいて前記関心領域と前記音響波受信部との距離を取得し、
前記距離に基づいて、前記被検体内の関心領域で発生した音響波が前記複数の音響波受信部のそれぞれに到来する時刻を取得することを特徴とする請求項２または３に記載の被検体情報取得装置。
【請求項５】
前記信号処理部は、
前記角度に由来した音響波に対する応答を表す順問題行列を取得し、
該取得された順問題行列を用いて前記被検体情報を取得することを特徴とする請求項１に記載の被検体情報取得装置。
【請求項６】
複数の順問題行列が格納された記憶部を更に有し、
前記信号処理部は、
前記記憶部に格納された前記複数の順問題行列から前記角度に対応する順問題行列を取得することを特徴とする請求項５に記載の被検体情報取得装置。
【請求項７】
前記信号処理部は、
複数の仮想受信点を設定し、
前記角度と前記複数の時系列の電気信号とに基づいて、前記複数の仮想受信点で取得される複数の仮想の時系列の電気信号を取得し、
前記複数の仮想の時系列の電気信号に基づいて前記被検体情報を取得することを特徴とする請求項１に記載の被検体情報取得装置。
【請求項８】
前記信号処理部は、
前記走査面に対して所定の角度で配置された場合の前記複数の音響波受信部の位置を前記複数の仮想受信点として設定することを特徴とする請求項７に記載の被検体情報取得装置。
【請求項９】
前記信号処理部は、
前記角度に基づいて前記走査面に対して前記角度をなす前記複数の音響波受信部の位置を取得し、
前記複数の音響波受信部の位置と、前記複数の仮想受信点の位置と、前記時系列の電気信号とに基づいて、前記複数の仮想の時系列の電気信号を取得することを特徴とする請求項７または８に記載の被検体情報取得装置。
【請求項１０】
前記信号処理部は、
前記複数の時系列の電気信号を格納する記憶部を更に有し、
前記記憶部に格納された複数の時系列の電気信号と前記角度とに基づいて、前記被検体情報を取得することを特徴とする請求項１から９のいずれか１項に記載の被検体情報取得装置。
【請求項１１】
光源を更に有し、
前記音響波は、前記光源から発せられた光が前記被検体に照射されることにより前記被検体内で発生する光音響波であることを特徴とする請求項１から１０のいずれか１項に記載の被検体情報取得装置。
【請求項１２】
前記被検体に音響波を送信するための音響波送信部を更に有し、
前記音響波は、前記音響波送信部から送信された前記音響波が前記被検体内で反射することにより発生するエコーであることを特徴とする請求項１から１０のいずれか１項に記載の被検体情報取得装置。
【請求項１３】
前記被検体の形状を保持するための保持部を更に有し、
前記走査部は、前記保持部の一面と平行する面の少なくとも一部を前記走査面として前記複数の音響波受信部を走査することを特徴とする請求項１から１２のいずれか１項に記載の被検体情報取得装置。
【請求項１４】
前記走査部は、前記被検体の表面の少なくとも一部を前記走査面として前記複数の音響波受信部を走査することを特徴とする請求項１から１３のいずれか１項に記載の被検体情報取得装置。
【請求項１５】
被検体内で発生した音響波を受信して複数の時系列の電気信号を出力する複数の音響波受信部を有する被検体情報取得装置の作動方法であって、
前記複数の音響波受信部を走査面に沿って走査する工程と、
前記走査面と前記複数の音響波受信部の受信面とのなす角度を取得する工程と、
前記角度と前記複数の時系列の電気信号とに基づいて被検体情報を取得する工程とを行うことを特徴とする被検体情報取得装置の作動方法。
【請求項１６】
請求項１５に記載の被検体情報取得装置の作動方法をコンピュータに実行させるプログラム。
【発明の詳細な説明】
【技術分野】
【０００１】
本発明は音響波を受信して被検体情報を取得する被検体情報取得装置、被検体情報取得装置の作動方法、およびプログラムに関する。
【背景技術】
【０００２】
従来から音響波を受信して生体などの被検体内部の情報を取得する技術として、これまで光音響装置やエコー装置などの被検体情報取得装置が提案されてきた。
【０００３】
例えば光音響装置は、特に皮膚がんや乳がんの診断での有用性が示されており、同診断で従来使用されてきたエコー装置、Ｘ線装置、ＭＲＩ装置などに代わる医療機器としての期待が高まっている。
【０００４】
可視光や近赤外光等の計測光を生体組織に照射すると、生体内部の光吸収物質、特に血液中のヘモグロビン等の物質が、計測光のエネルギーを吸収して瞬間的に膨張した結果、音響波が発生することが知られている。この現象を光音響効果といい、発生した音響波を光音響波とも呼ぶ。
【０００５】
光音響イメージング装置は、この光音響波を計測することで生体組織の情報を可視化する。このような光音響効果を利用した断層撮影の技術を光音響イメージング（Ｐｈｏｔｏａｃｏｕｓｔｉｃ  Ｉｍａｇｉｎｇ：ＰＡＩ）とも呼ぶ。この光音響撮影の技術により、光エネルギー吸収密度分布、即ち生体内の光吸収物質の密度分布を定量的に、また３次元的に計測し結果を得ることができる。
【０００６】
例えば、特許文献１は、被検体を保持部で保持した状態で保持部に沿って探触子を走査することにより光音響波を受信する装置を開示する。
【０００７】
また、特許文献２は、被検体を保持部で保持した状態で保持部に沿って探触子を走査し、超音波を送受信することによりＢモード画像を取得する装置を開示する。さらに、特許文献２は、走査面としての保持部と探触子との傾きを補正するために、探触子の位置および姿勢を機械的に制御することを開示する。
【先行技術文献】
【特許文献】
【０００８】
【特許文献１】特開２０１０−１７４２７号公報
【特許文献２】特開２０１０−３５５７４号公報
【特許文献３】特開２０１０−３５８０６号公報
【特許文献４】特開２０１１−１４３１７５号公報
【非特許文献】
【０００９】
【非特許文献１】Ｍｉｎｇｈｕａ  Ｘｕ  ａｎｄ  Ｌｉｈｏｎｇ  Ｖ．Ｗａｎｇ，（２００５），”Ｕｎｉｖｅｒｓａｌ  ｂａｃｋ−ｐｒｏｊｅｃｔｉｏｎ  ａｌｇｏｒｉｔｈｍ  ｆｏｒ  ｐｈｏｔｏａｃｏｕｓｔｉｃ  ｃｏｍｐｕｔｅｄ  ｔｏｍｏｇｒａｐｈｙ”，ＰＨＩＳＩＣＡＬ  ＲＥＶＩＥＷ  Ｅ  ７１，０１６７０６
【非特許文献２】山田幸生  他，「医学・生物学における光と生体組織の相互作用および光によるイメージング」，機械技術研究所所報，１９９５年１月，ｖｏｌ．４９，ｎｏ．１，ｐｐ．１−３１
【発明の概要】
【発明が解決しようとする課題】
【００１０】
ところが、被検体情報取得装置において、特許文献２が開示するような探触子の配置の機械的な制御においては、装置の機械的な構成が大きくなってしまう可能性がある。また、探触子の位置決め誤差などにより、被検体情報の画質が低下してしまう可能性がある。
【００１１】
そこで、本発明は、走査面に対する探触子の角度が所定の角度と異なってしまった場合でも、取得される被検体情報の画質の低下を簡便に抑制できる被検体情報取得装置を提供することを目的とする。
【課題を解決するための手段】
【００１２】
本明細書に開示された被検体情報取得装置は、被検体内で発生した音響波を受信して複数の時系列の電気信号を出力する複数の音響波受信部と、複数の音響波受信部を走査面に沿って走査する走査部と、走査面と複数の音響波受信部の受信面とのなす角度を取得し、角度と複数の時系列の電気信号とに基づいて被検体情報を取得する信号処理部とを有する。
【発明の効果】
【００１３】
本発明に係る被検体情報取得装置によれば、走査面に対する探触子の角度が所定の角度と異なってしまった場合でも、取得される被検体情報の画質の低下を簡便に抑制できる。
【図面の簡単な説明】
【００１４】
【図１】第１の実施形態に係る被検体情報取得装置の構成を示す図である。
【図２】第１の実施形態に係る被検体情報取得装置の構成を示す別の図である。
【図３】第１の実施形態に係る被検体情報取得方法のフローを示す図である。
【図４】第１の実施形態に係る被検体情報の取得動作を示す図である。
【図５】第２の実施形態に係る被検体情報取得方法のフローを示す図である。
【図６】第３の実施形態に係る被検体情報取得方法のフローを示す図である。
【発明を実施するための形態】
【００１５】
本発明においては、光音響効果により発生した光音響波を用いる光音響装置や音響波のエコーを用いるエコー装置などを被検体情報取得装置とすることができる。なお、以下の実施形態では光音響装置について説明する。
【００１６】
本発明に係る被検体情報は、光音響波に基づいて取得される光学特性情報や音響波のエコーに基づいて得られる形態情報を含む。
【００１７】
例えば、光学特性情報としては、初期音圧分布、光吸収エネルギー密度分布、光吸収係数分布などが挙げられる。また、光学特性情報は、複数の波長の光をそれぞれ被検体に照射し、それぞれ発生する光音響波を受信して得られる被検体を構成する物質の濃度（例えば血液中に含まれるヘモグロビン濃度や血液の酸素飽和度）なども含む。
【００１８】
また、形態情報としては、送信された音響波のエコー強度を分布として表わしたＢモード画像、被検体内の構造の速度分布を表すドップラー画像、被検体内の構造の弾性分布（ひずみ率、せん断波速度、ヤング率）を表すエラスト画像、被検体内での散乱に起因するスペックルパターンデータなどが挙げられる。
【００１９】
（第１の実施形態）
以下、図面を参照しつつ、本実施形態に係る被検体情報取得装置を説明する。本実施形態に係る被検体情報取得装置は、複数のトランスデューサを走査面に沿って走査する。また、本実施形態に係る被検体情報取得装置は、走査面と音響波の受信面とのなす角度に起因する定量性や解像度の低下を補正するための再構成処理を行って被検体情報を取得することができる。
【００２０】
図１に示す被検体情報取得装置は、光源１１０、光学系１２０、保持部としての平行平板１３０Ａおよび１３０Ｂ、複数のトランスデューサ１４１を備える探触子１４０、走査部としての走査機構１５０、コンピュータとしての信号処理部１６０、および表示部としてのディスプレイ１７０を有する。
【００２１】
図２は、信号処理部１６０の詳細、および、信号処理部１６０の周辺の構成を示す模式図である。信号処理部１６０は、制御部１６１、演算部１６２、記憶部１６３を備えている。
【００２２】
制御部１６１は、バス２００を介して被検体情報取得装置を構成する各構成の作動を制御している。また、制御部１６１は、記憶部１６３に格納された後述する被検体情報取得方法が記述されたプログラムを読み出し、被検体情報取得装置に読み出した被検体情報取得方法を実行させている。
【００２３】
光源１１０から発生した光は、光学系１２０を介してパルス光１２１として被検体１００に照射される。そして、光音響効果により被検体１００内で音響波（光音響波）が発生する。続いて、複数のトランスデューサ１４１が音響波を受信して複数の時系列の電気信号を出力する。続いて、信号処理部１６０が複数の時系列の電気信号に基づいて被検体情報を取得し、ディスプレイ１７０に被検体情報を表示させる。
【００２４】
本実施形態において走査機構１５０は、平行平板１３０Ｂの探触子１４０が位置する側の面１３０Ｃ、すなわちｘ−ｙ平面の一部を走査面として探触子１４０を走査している。
【００２５】
本実施形態において走査面とは、特定のトランスデューサの受信面が走査されるべき経路を含む面のことを指す。
【００２６】
なお、保持部として平行平板以外の形状の部材を用いた場合も保持部の一部を走査面としてもよい。また、被検体１００の表面など、保持部以外の部材を走査面として利用してもよい。また、任意の空間に走査面を設定してもよい。例えば、保持部の一面と平行する面を走査面としてもよい。また、走査面は平面に限らず、曲面などの任意の面とすることができる。
【００２７】
また、走査面は、出荷時に設定されていてもよいし、探触子１４０を走査する前にユーザや信号処理部１６０により設定されてもよい。例えば、測定部（不図示）が被検体１００の形状を測定し、ユーザが被検体１００の形状の画像から、被検体１００の表面を走査面として設定してもよい。
【００２８】
なお、特定のトランスデューサは、複数のトランスデューサのうち、いずれのトランスデューサとしてよい。また、特定のトランスデューサは、時間に応じて変化してもよい。
【００２９】
また、本実施形態に係る被検体情報取得装置は、複数のトランスデューサ１４１の受信面と走査面とのなす角度が所定の角度で配置されている場合に、所望の被検体情報を取得できるように構成されている。本実施形態において所定の角度は０°としている。
【００３０】
ここで、複数のトランスデューサの受信面と走査面とのなす角度とは、特定のトランスデューサの受信面と走査面とのなす角度のことを指す。典型的にトランスデューサの受信面は、トランスデューサの最も受信効率の高い方向の法線を含む面となる。
【００３１】
なお、本実施形態においては、平面である面１３０Ｃの一部を走査面としているため、複数のトランスデューサ１４１の受信面と面１３０Ｃとのなす角度を、複数のトランスデューサ１４１の受信面と走査面とのなす角度として説明する。以下、複数のトランスデューサの受信面と走査面とのなす角度を単に「角度」とも称する。
【００３２】
ところで、複数のトランスデューサ１４１の受信面と面１３０Ｃとのなす角度が所定の角度（０°）でない場合は、得られる被検体情報の画質、すなわち定量性、解像度、および連続性などが低下してしまう。
【００３３】
そこで、本実施形態に係る被検体情報取得装置は、複数のトランスデューサ１４１の出力に対して、所定の角度と実際の角度との差を補正するための再構成処理を行って被検体情報を取得する。これにより、所定の角度と実際の角度との差に起因する被検体情報の定量性や解像度の低下を抑制することができる。また、機械的な構成の配置を制御することなく、再構成処理により角度を補正することができるため、機械的な構成が大きくなることを抑制できる。また、機械的な構成の位置決め誤差などによる被検体情報の定量性や解像度の低下を抑制することができる。
【００３４】
以下、所定の角度と実際の角度との差を「角度の差」とも称する。また、本願明細書において、「再構成処理」とは、複数のトランスデューサ１４１から出力された時系列の電気信号から被検体情報を取得する処理のことを指す。
【００３５】
＜被検体情報取得装置の構成＞
以下、被検体情報取得装置の構成の詳細を説明する。
【００３６】
（光源）
被検体１００に照射されるパルス光１２１は、光源１１０にて発生される。光源１１０は、近赤外領域に中心波長を有するパルス発光が可能な個体レーザ（例えば、Ｙｔｔｒｉｕｍ−Ａｌｕｍｉｎｉｕｍ−ＧａｒｎｅｔレーザやＴｉｔａｎｉｕｍ−Ｓａｐｐｈｉｒｅレーザ）などが使用されてよい。光の波長は、撮影対象とする被検体１００内の光吸収物質（例えばヘモグロビンやグルコース、コレステロールなど）に応じて、５３０ｎｍから１３００ｎｍの間で選択されてよい。
【００３７】
例えば、測定対象とする乳がん周辺の新生血管中のヘモグロビンは、一般的に６００ｎｍ〜１０００ｎｍの光を強く吸収する。一方、生体を構成する水は８３０ｎｍ付近で光の吸収が極小となる。そのため、７５０ｎｍ〜８５０ｎｍでヘモグロビンによる光の吸収が相対的に大きくなる。
【００３８】
（光学系）
光源１１０からの光を、被検体１００に所望の光分布のパルス光１２１で照射するための光学系１２０は、レンズ、ミラー、光ファイバー等の光学系を備えてよい。なお、光学系１２０は、光源１１０から発せられた光が被検体１００に所望の光分布のパルス光１２１で照射することができるのであれば、どのようなものを用いても構わない。
【００３９】
また、光学系１２０は、被検体１００の広い領域にパルス光１２１を照射するために光学系を走査する走査機構を備えてもよい。この場合、探触子１４０における音響波の受信領域とパルス光１２１の照射領域とが重なるように、探触子１４０を走査する走査機構１５０と光学系を走査する走査機構とを同期させてもよい。
【００４０】
（探触子）
探触子１４０は、複数のトランスデューサ１４１と、複数のトランスデューサを覆う筺体とから構成されている。
【００４１】
複数のトランスデューサ１４１は、被検体１００内で発生した音響波を受信して時系列の電気信号に変換する音響波受信部としての機能を備えている。
【００４２】
典型的に光音響効果で発生する音響波の周波数は１００ｋＨｚから１００ＭＨｚ程度である。また、エコー装置に用いられる音響波の周波数は１ＭＨｚから１０００ＭＨｚ程度である。そのため、上記の周波数帯の音響波を受信または送信できるトランスデューサが用いられることが好ましい。トランスデューサとしては、圧電現象を用いたトランスデューサ、光の共振を用いたトランスデューサ、容量の変化を用いたトランスデューサなどの素子を用いることができる。
【００４３】
複数のトランスデューサ１４１は１次元に配列されても、２次元に配列されてもよい。このようにアレイ状に配列された複数のトランスデューサ１４１を用いることにより、同時に複数の場所で音響波を受信することができ、受信時間を短縮できる。
【００４４】
（保持部）
本実施形態においては、保持部としての２枚の平行平板１３０Ａおよび１３０Ｂで被検体１００を挟むことにより、被検体１００を保持している。これにより、被検体１００が動いてしまうことによる計測誤差を低減させている。
【００４５】
なお、保持部は、平行平板に限らず、お椀形状の部材など被検体１００を保持できる部材であればどのような部材であってもよい。また、保持部は、フィルム状の部材であってもよい。すなわち、保持部は、乳房などの被検体よりも柔かい材料から構成されていてもよい。
【００４６】
また、保持部は、探触子１４０との音響整合性が高い材料であることが好ましい。また、保持部を通過させてパルス光を被検体１００に照射する場合、保持部はパルス光に対して高い透過率を有する材料であることが好ましい。例えば、保持部の材料としては、ポリメチルペンテンなどを用いることができる。
【００４７】
ただし、被検体１００を保持する必要がない場合には、被検体情報取得装置は保持部を備える必要がない。
【００４８】
（走査機構）
走査機構１５０は、探触子１４０を走査面に沿って走査する装置である。
【００４９】
なお、保持部として平行平板以外の形状の部材を用いた場合も、保持部の一部を走査面としてもよい。また、保持部の一部と平行する面を走査面としてもよい。
【００５０】
また、被検体１００の表面など、保持部以外の部材を走査面として利用してもよい。また、任意の空間に走査面を設定してもよい。また、走査面は、ユーザや信号処理部１６０によって設定されてもよいし、予め設定されていてもよい。また、走査面は平面に限らず、曲面などの任意の面とすることができる。
【００５１】
また、本実施形態において走査機構１５０は探触子１４０をステップアンドリピートによって走査しているが、連続走査してもよい。また、走査機構１５０は、走査中に走査の速度を変更してもよい。
【００５２】
（信号処理部）
信号処理部１６０は、制御部１６１、演算部１６２、記憶部１６３を備えている。
【００５３】
制御部１６１は、典型的にはＣＰＵなどの素子から構成される。
【００５４】
演算部１６２は、典型的にはＣＰＵ、ＧＰＵ、増幅器、Ａ／Ｄ変換器、ＦＰＧＡ（Ｆｉｅｌｄ  Ｐｒｏｇｒａｍｍａｂｌｅ  Ｇａｔｅ  Ａｒｒａｙ）、およびＡＳＩＣなどの素子から構成される。なお、演算部１６２は、１つの素子から構成されるだけではなく、複数の素子から構成されていてもよい。また、本実施形態に係る被検体情報取得方法で行うそれぞれの処理は、どの素子により行われてもよい。また、演算部１６２が行う処理をアナログ回路により実行可能としてもよい。この場合のアナログ回路についても演算部１６２とする。
【００５５】
また、演算部１６２は、同時に複数のデータをパイプライン処理できるように構成されていることが好ましい。これにより、被検体情報を取得する時間を短縮することができる。
【００５６】
記憶部１６３は、典型的にはＲＯＭ、ＲＡＭ、およびハードディスクなどの媒体から構成される。なお、記憶部１６３は、１つの媒体から構成されるだけでなく、複数の媒体から構成されていてもよい。
【００５７】
なお、被検体情報取得方法において行われる処理を、制御部１６１に実行させるプログラムとして記憶部１６３に格納しておくことができる。ただし、プログラムが格納される記憶部１６３は、ＲＯＭなどの非一時的な記録媒体である。
【００５８】
また、信号処理部および複数のトランスデューサは、共通の筺体に収められて探触子として提供されてもよい。ただし、探触子に収められた信号処理部で一部の信号処理を行い、残りの信号処理を探触子の外部に設けられた信号処理部で行ってもよい。この場合、探触子の内部および外部に設けられた信号処理部を総称して、本実施形態に係る信号処理部とすることができる。
【００５９】
＜被検体情報取得方法＞
続いて、図３に示すフローを用いて、本実施形態に係る被検体情報取得方法を説明する。各工程は、制御部１６１が被検体情報取得装置の各構成の作動を制御することにより実行される。すなわち、以下、本実施形態に係る被検体情報取得装置の作動方法を説明する。
【００６０】
（Ｓ１００：音響波の受信面と走査面とのなす角度を取得する工程）
この工程では、演算部１６２は、公知の種々の方法により、複数のトランスデューサ１４１の受信面と面１３０Ｃとのなす角度θを取得する。
【００６１】
例えば、特許文献１に記載のように、複数のトランスデューサ１４１が面１３０Ｃに対して音響波の送受信を行い、演算部１６２が複数のトランスデューサ１４１からの出力に基づいて角度を検知することができる。また、ＣＣＤなどの撮像部によって被検体情報取得装置の各構成および被検体の形状を測定し、演算部１６２はその測定結果に基づいて角度を取得することができる。また、被検体情報取得装置の各構成及び被検体に位置センサや加速度センサなどを設け、それらのセンサからの出力に基づいて、演算部１６２は角度を取得することもできる。
【００６２】
なお、第１の位置における第１の角度を取得し、続いてこの第１の角度を用いて第１の位置においてＳ２００以降の工程を行い、続いて第２の位置における第２の角度を取得し、続いてこの第２の角度を用いて第２の位置においてＳ２００以降の工程を行ってもよい。この方法によれば、角度を取得する時刻と音響波を送信する時刻との差が小さいため、Ｓ１００で取得される角度とＳ３００において音響波を受信するときの角度との変動を小さくすることができる。
【００６３】
また、Ｓ２００以降の工程の前に各位置における角度を予め取得してもよい。
【００６４】
また、ある位置における角度を取得し、その角度をその他の位置における角度としてもよい。
【００６５】
また、後述するＳ２００およびＳ３００の工程と並行して本工程を行ってもよい。
【００６６】
（Ｓ２００：被検体内で音響波を発生させる工程）
次に、光源１１０から発された光は、光学系１２０を介してパルス光１２１として被検体１００に照射される。そして、被検体１００はパルス光１２１を吸収し、光音響効果により音響波（光音響波）が発生する。
【００６７】
なお、被検体１００に音響波を送信し、送信された音響波が被検体１００内で反射することにより発生したエコーを、本発明に係る音響波としてもよい。この場合、被検体情報取得装置は、音響波を送信する音響波送信部を備える必要がある。そこで、複数のトランスデューサ１４１を音響波送信部としてもよい。さらに、複数のトランスデューサ１４１は、音響波受信部および音響波送信部の両方の機能を兼ね備えてもよい。すなわち、音響波受信部と音響波送信部とは１つのトランスデューサアレイで構成されていてもよい。
【００６８】
（Ｓ３００：光音響波を受信して時系列の電気信号を取得する工程）
次に、複数のトランスデューサ１４１のそれぞれは、Ｓ２００で発生した光音響波を受信して時系列の電気信号を信号処理部１６０に出力する。続いて、演算部１６２がアナログ信号としての時系列の電気信号に増幅処理やＡＤ変換処理を施し、デジタル化された時系列の電気信号が記憶部１６３に格納される。
【００６９】
なお、複数のトランスデューサ１４１のそれぞれから出力された時系列の電気信号を総称して「複数の時系列の電気信号」とする。また、時系列の電気信号は、アナログ信号もＡＤ変換処理された後のデジタル信号も含む概念である。  （Ｓ４００：時系列の電気信号に対して、角度に基づいて取得された音響波の到来時刻を用いた再構成処理を行って被検体情報を取得する工程）
次に、演算部１６２は、角度に基づいて被検体１００内の各点で発生する音響波の到来時刻を取得する。そして、演算部１６２は、記憶部１６３に格納された複数の時系列の電気信号に対して、この到来時刻を用いた再構成処理を行うことにより被検体１００内の被検体情報としての初期音圧分布を取得する。以下、音響波の到来時刻を用いた再構成処理をタイムドメイン再構成処理と称する。
【００７０】
以下、図４を用いて、本実施形態に係るタイムドメイン再構成処理により被検体１００内に設定された関心領域１０１における初期音圧を取得する方法の例を説明する。
【００７１】
図４（Ａ）は、複数のトランスデューサ１４１の受信面と面１３０Ｃとが所定の角度（０°）となっている場合に、斜線で示したトランスデューサ１４１Ａが被検体１００内に設定された関心領域１０１で発生した光音響波を受信する様子を示す。ｒは関心領域１０１からトランスデューサ１４１Ａまでのベクトルを表す。また、Ｐ２は所定の角度となっている場合にトランスデューサ１４１Ａが位置する点を表す。すなわち、Ｐ２は所定の角度となっている場合のトランスデューサ１４１Ａの受信点を表す。
【００７２】
一方、図４（Ｂ）は、Ｐ１を回転の支点として複数のトランスデューサ１４１の受信面と面１３０Ｃとが角度θをなしている場合を示す。このとき、トランスデューサ１４１Ａは、点Ｐ３で光音響波を受信している。ＤはＰ１からＰ３までの距離を表す。また、ｒ’は関心領域１０１から点Ｐ３までのベクトルを表す。また、ｄは点Ｐ２から点Ｐ３までのベクトルを表す。
【００７３】
まず、演算部１６２は、被検体１００内に関心領域１０１を設定する。続いて、演算部１６２は、角度θに基づいて、トランスデューサ１４１Ａの受信点の位置（Ｐ３）を取得する。このとき、Ｄは複数のトランスデューサ１４１の構成から既知であり、また点Ｐ２の位置は走査面が予め設定されているので既知である。そのため、演算部１６２は、Ｓ１００で取得した角度θを用いて、点Ｐ２から角度θだけ回転したトランスデューサ１４１Ａの受信点（Ｐ３）の位置を取得することができる。例えば、演算部１６２は回転を表すアフィン変換により各トランスデューサの位置を取得することができる。
【００７４】
続いて演算部１６２は、トランスデューサ１４１Ａの受信点と関心領域１０１との距離を取得する。すなわち、演算部１６２は、ベクトルｒ’（＝ｒ＋ｄ）の大きさを取得する。
【００７５】
このとき、演算部１６２は、関心領域１０１の位置およびＰ２の位置に基づきｒを取得する。また、演算部１６２は、トランスデューサ１４１Ａの受信点の位置と点Ｐ２の位置とに基づきｄを取得する。また、演算部１６２は、角度θを用いてｄの大きさとしてのＤ・ｔａｎθを取得する。なお、演算部１６２は、記憶部１６３に格納されたデータを読み出すことにより、ｒ、ｄ、Ｄ、ｒ’を取得してもよい。
【００７６】
また、演算部１６２は、その他のトランスデューサについても同様に、関心領域１０１と各トランスデューサとの距離を取得する。
【００７７】
なお、角度がθとなったときの関心領域１０１と各トランスデューサとの距離を取得できる限り、その方法は上記に限らない。
【００７８】
続いて、演算部１６２は、関心領域１０１と各トランスデューサとの距離を光音響波の伝搬経路中の音速ｃで除算することにより、関心領域１０１から各トランスデューサに光音響波が到来する時刻を取得する。本実施形態では、パルス光１２１が被検体１００に照射された時刻を０としている。なお、典型的に光は音響波と比べて桁違いに速いので、パルス光１２１の照射と同時に被検体１００全体から光音響波が発生するとみなすことができる。
【００７９】
以上、演算部１６２は、Ｓ１００で取得した角度θを用いて、関心領域１０１で発生した光音響波が複数のトランスデューサ１４１のそれぞれに到来する時刻を取得することができる。
【００８０】
続いて、演算部１６２は、複数の時系列の電気信号から、関心領域１０１から各トランスデューサに光音響波が到来する時刻に対応するそれぞれの振幅値を加算する。この加算処理により、関心領域１０１で発生した光音響波の初期音圧を取得することができる。
【００８１】
なお、演算部１６２は、それぞれの振幅値に重みづけを行った後に加算処理を行ってもよい。このとき、重みづけの値は、音響波の被検体１００内での減衰やトランスデューサの指向性などに基づいて決定されることができる。
【００８２】
続いて、演算部１６２は、被検体１００中の各位置に関心領域を設定し、各関心領域において同様の処理を行うことにより、被検体１００内の初期音圧分布を取得することができる。
【００８３】
なお、Ｓ１００で取得された角度に基づいて決定される音響波の到来時刻を用いて被検体情報を取得する限り、いかなる方法を採用してもよい。
【００８４】
また、演算部１６２は、非特許文献２に記載されたような方法で、照射されたパルス光１２１の被検体１００内の光量分布を取得し、初期音圧分布を光量分布で除算することにより吸収係数分布を取得することもできる。
【００８５】
また、Ｓ１００において取得された角度が所定の角度と異なる場合のみ本工程を行ってもよい。また、Ｓ１００において取得された角度が所定の角度と同じ場合には、所定の受信パターンで音響波を受信すればよい。また、角度の差が被検体情報の連続性に影響を与えない程度である場合、角度と所定の角度とは同じとみなすことができる。
【００８６】
（Ｓ５００：被検体情報を表示する工程）
次に、ディスプレイ１７０は、Ｓ４００で取得された被検体１００内の初期音圧分布を表示する。ユーザは、ディスプレイ１７０に表示された被検体１００内の初期音圧分布を視認することにより、診断を行うことができる。
【００８７】
以上の被検体情報取得方法を行うことにより、角度の差による被検体情報の定量性や解像度の低下を抑制することができる。また、機械的な構成が大きくなることを抑制できる。また、機械的な構成の位置決め誤差などによる被検体情報の定量性や解像度の低下を抑制することができる。
【００８８】
（第２の実施形態）
第２の実施形態に係る再構成処理方法を、図４および図５を用いて説明する。なお、図５において、図３に示す処理と同じ処理については、同じ処理番号を付して詳細な説明を省略する。また、本実施形態においても、第１の実施形態と同じ被検体情報取得装置を用いる。また、本実施形態においても、図４（Ｂ）のように、Ｘ−Ｙ−Ｚの直交座標系にある位置に設置した探触子１４０が、Ｙ軸周りにθ度回転している場合を考える。
【００８９】
本実施形態は、角度に基づいて決定される順問題行列を用いた繰り返し再構成処理により角度の差を補正する点が第１および第２の実施形態とは異なる。ここで、繰り返し再構成法とは、モデルベース法とも呼ばれ、特許文献４が開示するように、計測で得られた受信信号と、あるモデルを仮定して計算された受信信号との差が小さくなるような初期音圧分布を取得する方法である。
【００９０】
例えば、取得された時系列の電気信号をＰｄ、あるモデルに基づいた光音響波に対する応答を表す順問題行列をＡ、初期音圧分布をＰ０としたときに、順問題行列Ａが正則であれば、逆行列を持つため、初期音圧分布Ｐ０は、式（１）より求めることができる。
Ｐ０＝Ａ−１・Ｐｄ      ・・・式（１）
ここで、Ａ−１はＡの逆行列である。また、Ｐ０は各領域の初期音圧を行列として表現した初期音圧分布である。
【００９１】
ただし、一般的には順問題行列Ａは正則でないことがあるため、逆行列を持たない場合がある。その場合、順問題行列Ａの疑似逆行列Ａ＋を求めることや式（２）に示す目的関数を最小にするＰ０を求める最小二乗法などによって初期音圧分布Ｐｏを求めることができる。
【００９２】
【数１】
2015006288.tif 000003
【００９３】
なお、式（２）では、局所解となり、真の解が求まらない可能性があるため、ペナルティー項を付加した式（３）に示す目的関数を最小にするＰ０を求めてもよい。ここでλは任意の定数である。
【００９４】
【数２】
2015006288.tif 000004
【００９５】
（Ｓ４１０：角度に由来する音響波に対する応答を表す順問題行列を取得する工程）
本実施形態においては、まず演算部１６２が、Ｓ１００で取得された角度θに由来する音響波に対する応答を表す順問題行列としての順問題行列Ａ’を取得する。すなわち、演算部１６２は、面１３０Ｃと角度θをなして配置された複数のトランスデューサ１４１が音響波を受信した場合に出力すると想定される時系列の電気信号を表すための順問題行列Ａ’を取得する。
【００９６】
具体的には、シミュレーションにおいて、複数のトランスデューサ１４１が面１３０Ｃと角度θをなして配置されたモデルを設定する。そして、設定されたモデルにおいて、各関心領域から音響波が発生したときに複数のトランスデューサ１４１が出力すると想定される時系列の電気信号を計算する。ここで計算された時系列の電気信号から順問題行列Ａ’の各行列要素を決定する。例えば、順問題行列Ａ’の行要素を各関心領域の座標とし、列要素を各トランスデューサが出力する時系列の電気信号の各時刻における振幅とすることなどによって各行列要素は決定される。
【００９７】
また、被検体を模したファントムを用いた実測によって順問題行列Ａ’の行列要素を取得することもできる。例えば、ファントム内に配置された音源から発生した音響波を複数のトランスデューサ１４１が受信することにより出力された時系列の電気信号から順問題行列Ａ’を取得することができる。このときファントム内の音源の位置を移動させることにより、ファントム内の各位置から発生した音響波に対する応答を表す順問題行列Ａ’を取得することができる。このときの各行列要素は、ファントム内の各位置の座標を行要素とし、各トランスデューサが出力する時系列の電気信号の各時刻における振幅を列要素とすることなどができる。
【００９８】
なお、音源の位置を移動させる手段としては、音源としての光吸収体の位置を移動させることや音源としての光吸収体に照射する光の位置を移動させることなどが考えられる。また、本実施形態においては、ファントムは平行平板１３０Ｂにより保持され、複数のトランスデューサ１４１は面１３０Ｃと角度θをなして配置されている必要がある。ただし、複数のトランスデューサ１４１と走査面とのなす角度をθとする限り、平行平板を必須としない。
【００９９】
なお、Ｓ１００で角度を取得する前に、予め複数の角度に対応する順問題行列を取得し、記憶部１６３に複数の角度に対応する順問題行列を格納しておいてもよい。この場合、演算部１６２が記憶部１６３に格納された複数の順問題行列からＳ１００で得られた角度θに対応する順問題行列Ａ’を取得することができる。これにより、Ｓ１００で角度を取得した後にさらなる計算を要することなく角度θに対応する順問題行列Ａ’を取得することができるため、被検体情報を取得するまでの時間を短くすることができる。
【０１００】
このようにして得られた角度に基づいて決定された順問題行列は、角度の差によって生じた時系列の電気信号の振幅の変化や位相の変化などが反映された順問題行列となる。
【０１０１】
（Ｓ４２０：角度に由来する音響波に対する応答を表す順問題行列を用いて繰り返し再構成処理を行って被検体情報を取得する工程）
続いて演算部１６２は、Ｓ４１０で取得された順問題行列Ａ’を用いて、上記式（１）〜（３）などに基づく計算により初期音圧分布Ｐ０を取得する。
【０１０２】
前述したように、Ｓ４１０で取得された順問題行列は角度の差によって生じた時系列の電気信号に対する影響が反映されているので、角度がずれた場合にも繰り返し再構成処理により精度良く被検体情報を取得することができる。
【０１０３】
以上の被検体情報取得方法を行うことにより、角度の差による被検体情報の定量性や解像度の低下を抑制することができる。また、機械的な構成が大きくなることを抑制できる。また、機械的な構成の位置決め誤差などによる被検体情報の定量性や解像度の低下を抑制することができる。
【０１０４】
（第３の実施形態）
第３の実施形態に係る再構成処理方法を図４および図６を用いて説明する。なお、図６において、図３に示す処理と同じ処理については、同じ処理番号を付して詳細な説明を省略する。また、本実施形態においても、第１の実施形態と同じ被検体情報取得装置を用いる。また、本実施形態においても、図４（Ｂ）のように、Ｘ−Ｙ−Ｚの直交座標系にある位置に設置した探触子１４０が、Ｙ軸周りにθ度回転している場合を考える。
【０１０５】
本実施形態は、角度に基づいて仮想受信点で取得される仮想の複数の時系列の電気信号を取得することにより角度の差を補正する点が、他の実施形態と異なる。
【０１０６】
（Ｓ４５０：角度に基づいて仮想受信点で取得される仮想の複数の時系列の電気信号を取得する）
演算部１６２は、Ｓ１００で取得された角度に基づいて、角度θだけ回転したときの各トランスデューサの位置を取得する。走査されるべき経路は予め設定されているので、各時刻において各トランスデューサが位置すべき位置は既知である。そのため、演算部１６２は、角度に基づいて、例えば回転を表すアフィン変換により各トランスデューサの位置を取得することができる。
【０１０７】
続いて、演算部１６２は、記憶部１６３に格納された時系列の電気信号とこの時系列の電気信号を取得したときのトランスデューサの位置とより、所定の角度でトランスデューサが配置された場合に取得されるはずであった時系列の電気信号をシミュレーションにより取得する。ここで、所定の角度でトランスデューサが配置されたときのトランスデューサの位置ｘ０を「仮想受信点」と称する。また、仮想受信点に音響波が到来して取得されるはずであった時系列の電気信号を「仮想の時系列の電気信号」と称する。
【０１０８】
具体的に、演算部１６２は、波動方程式の可逆性を利用して、時刻ｔ１にｘ１に位置するトランスデューサによって得られた電気信号ｓ１（ｘ１，ｔ１）から、時刻ｔ０にｘ０に位置するトランスデューサによって得られるはずであった仮想の電気信号Ｓ０（ｘ０，ｔ０）を式（４）から取得する。なお、ｘ０およびｘ１は位置ベクトルを表す。
【０１０９】
【数３】
2015006288.tif 000005
【０１１０】
ここで、Ｇ０（ｘ１−ｘ０，ｔ１−ｔ０）は、電気信号ｓ１から仮想の電気信号ｓ０を求めるためのグリーン関数である。すなわち、グリーン関数は、時刻ｔ０にｘ０に到来した音響波の受信信号から、時刻ｔ１にｘ１でこの音響波が受信して得られたであろう仮想の受信信号を求める関数である。
【０１１１】
なお、本実施形態において、ｘ０は角度がθであるときのトランスデューサの位置であり、ｘ１は角度が所定の角度であるときのトランスデューサの位置である。
【０１１２】
これにより、演算部１６２は、角度が所定の角度であるときに複数のトランスデューサ１４１が取得するはずであった仮想の時系列の電気信号を取得することができる。すなわち、この仮想の時系列の受信信号は、所定の角度で複数のトランスデューサ１４１が音響波を受信して得られる時系列の電気信号と同様（理想的には等価）となる。
【０１１３】
（Ｓ４６０：複数の仮想の時系列の電気信号に対して公知の再構成処理を行って被検体情報を取得する）
そのため、演算部１６２は、Ｓ４５０で取得された仮想の時系列の電気信号に対して公知の再構成処理を行うことにより、角度が所定の角度であるときに得られる被検体情報と同様（理想的には等価）の被検体情報を取得することができる。
【０１１４】
なお、公知の再構成処理としては、非特許文献１が開示するようなタイムドメイン再構成処理、特許文献３が開示するようなフーリエドメイン再構成処理、特許文献４が開示するような繰り返し再構成処理などが挙げられる。
【０１１５】
また、角度の差を補正することができる限り、仮想受信点は所定の角度でトランスデューサが配置されたときのトランスデューサの位置と同一でなくてもよい。
【０１１６】
以上、本実施形態に係る被検体情報取得方法によれば、角度の差による被検体情報の定量性や解像度の低下を抑制することができる。また、機械的な構成が大きくなることを抑制できる。また、機械的な構成の位置決め誤差などによる被検体情報の定量性や解像度の低下を抑制することができる。
【０１１７】
なお、いずれの実施形態においても、１サンプリングクロック以下の単位でデータを扱いたい場合には、記憶部１６３の各データメモリアドレスに格納された時系列の電気信号同士の補間を行えばよい。例えば、演算部１６２が、記憶部１６３のあるチャンネルのＮ番目のデータメモリアドレスに格納されたデータと、Ｎ＋１番目のデータメモリアドレスに格納されたデータとを用いて重み加算平均等の処理を行うことにより、１サンプリングクロック以下の単位でデータを扱うことができる。
【０１１８】
また、いずれの実施形態においても、トランスデューサ間のピッチにより分解能は決定される。そこで、このトランスデューサの幾何学形状により決定される分解能を高めるために、各素子で得られた時系列の電気信号同士の補間を行ってもよい。
【０１１９】
以上、本発明の好適な実施形態を説明したが、上述した実施形態はあらゆる点で単なる例示にすぎず、本発明の範囲を限定するものではない。
【符号の説明】
【０１２０】
１００  被検体
１４０  探触子
１４１  複数のトランスデューサ
１５０  走査機構
１６０  信号処理部
【図１】
2015006288.tif 000006
【図２】
2015006288.tif 000007
【図３】
2015006288.tif 000008
【図４】
2015006288.tif 000009
【図５】
2015006288.tif 000010
【図６】
2015006288.tif 000011